(57)【要約】  本発明による従業員管理のためのグループ通信システムは、従業員が第１ないし第Ｎグループにグループ化される時、第ｎ（ｎ＝１、．．．、Ｎ）グループに属する従業員が携帯するための第１無線機；第ｎグループに属した従業員を管理する第ｎ管理者が携帯するための第２無線機；及び第１ないし第Ｎ管理者を監督する監督者が携帯するための第３無線機；を含むが、第ｎグループには、第ｎ固有コードが割り当てられ、第１ないし第Ｎ管理者と監督者とを含む第（Ｎ＋１）グループには、第（Ｎ＋１）固有コードが割り当てられ、第１ないし第３無線機のそれぞれは、第１ＰＴＴボタン及び第２ＰＴＴボタンを備え、第１ＰＴＴボタンが押された状態では、第１ＰＴＴボタンに対応して設定された少なくとも１つの固有コードを含む音声パケットを送信し、第２ＰＴＴボタンが押された状態では、第２ＰＴＴボタンに対応して設定された固有コードを含む音声パケットを送信し、受信するグループに対応して設定された少なくとも１つの固有コードを含む音声パケットが受信されれば、受信された音声パケットを処理して出力することを特徴とする。また、第３無線機は、第１ＰＴＴボタン、第２ＰＴＴボタン及びグループ選択ボタンを備え、第１ＰＴＴボタンが押された状態では、第１ＰＴＴボタンに対応して設定された少なくとも１つの固有コードまたはグループ選択ボタンによって選択された少なくとも１つの固有コードを含む音声パケットを送信し、第２ＰＴＴボタンが押された状態では、第２ＰＴＴボタンに対応して設定された固有コードを含む音声パケットを送信し、受信するグループに対応して設定された少なくとも１つの固有コードまたはグループ選択ボタンによって選択された少なくとも１つの固有コードを含む音声パケットが受信されれば、受信された音声パケットを処理して出力することができる。【選択図】図２
2021505048.tif 000002
【特許請求の範囲】
【請求項１】
従業員管理のためのグループ通信システムであって、
従業員が第１ないし第Ｎグループにグループ化される時、第ｎ（ｎ＝１、．．．、Ｎ）グループに属する従業員が携帯するための第１無線機と、
前記第ｎグループに属した従業員を管理する第ｎ管理者が携帯するための第２無線機と、
第１ないし第Ｎ管理者を監督する監督者が携帯するための第３無線機と、を含むが、
前記第ｎグループには、第ｎ固有コードが割り当てられ、前記第１ないし第Ｎ管理者と前記監督者とを含む第（Ｎ＋１）グループには、第（Ｎ＋１）固有コードが割り当てられ、
前記第１ないし第３無線機のそれぞれは、第１ＰＴＴボタン及び第２ＰＴＴボタンを備え、前記第１ＰＴＴボタンが押された状態では、前記第１ＰＴＴボタンに対応して設定された少なくとも１つの固有コードを含む音声パケットを送信し、前記第２ＰＴＴボタンが押された状態では、前記第２ＰＴＴボタンに対応して設定された少なくとも１つの固有コードを含む音声パケットを送信し、受信するグループに対応して設定された少なくとも１つの固有コードを含む音声パケットが受信されれば、前記受信された音声パケットを処理して出力することを特徴とするグループ通信システム。
【請求項２】
前記第１無線機は、前記第１ＰＴＴボタンまたは前記第２ＰＴＴボタンに対応して、前記第ｎ固有コードが設定され、受信するグループに対応して、前記第ｎ固有コードが設定されることを特徴とする請求項１に記載のグループ通信システム。
【請求項３】
前記第２無線機は、前記第１ＰＴＴボタンに対応して、前記第ｎ固有コードが設定され、前記第２ＰＴＴボタンに対応して、前記第（Ｎ＋１）固有コードが設定され、受信するグループに対応して、前記第ｎ固有コード及び前記第（Ｎ＋１）固有コードが設定されることを特徴とする請求項１に記載のグループ通信システム。
【請求項４】
前記第３無線機は、グループ選択ボタンをさらに備え、前記第１ＰＴＴボタンが押された状態では、前記第１ＰＴＴボタンに対応して設定された少なくとも１つの固有コードまたは前記グループ選択ボタンによって選択された少なくとも１つの固有コードを含む音声パケットを送信し、前記第２ＰＴＴボタンが押された状態では、前記第２ＰＴＴボタンに対応して設定された固有コードを含む音声パケットを送信し、受信するグループに対応して設定された少なくとも１つの固有コードまたは前記グループ選択ボタンによって選択された少なくとも１つの固有コードを含む音声パケットが受信されれば、前記受信された音声パケットを処理して出力することを特徴とする請求項１に記載のグループ通信システム。
【請求項５】
前記第３無線機は、前記第１ないし第Ｎグループのそれぞれに対してユーザ設定によって、前記グループ選択ボタンによる選択と無関係に当該グループの固有コードを含む音声パケットを送信するように設定されるか、前記グループ選択ボタンによって当該グループが選択された場合に、当該グループの固有コードを含む音声パケットを送信するように設定されるか、前記グループ選択ボタンによる選択と無関係に当該グループの固有コードを音声パケットに含ませないように設定されることを特徴とする請求項４に記載のグループ通信システム。
【請求項６】
前記第３無線機は、前記第１ないし第Ｎグループのそれぞれに対してユーザ設定によって、前記グループ選択ボタンによる選択と無関係に当該グループの固有コードを含む受信された音声パケットを処理するように設定されるか、前記グループ選択ボタンによって当該グループが選択された場合に、当該グループの固有コードを含む受信された音声パケットを処理するように設定されるか、前記グループ選択ボタンによる選択と無関係に当該グループの固有コードを含む受信された音声パケットを処理しないように設定されることを特徴とする請求項４に記載のグループ通信システム。
【請求項７】
前記第１無線機または前記第２無線機は、前記第１ＰＴＴボタン及び前記第２ＰＴＴボタンに対応して設定された固有コードの設定情報の少なくとも一部を一定距離内の他の無線機と同期化できるように、前記設定情報の少なくとも一部をＤＴＭＦ信号に変換し、前記ＤＴＭＦ信号をスピーカーを通じて送出することを特徴とする請求項１に記載のグループ通信システム。
【請求項８】
前記第１無線機または前記第２無線機は、前記第１ＰＴＴボタン及び前記第２ＰＴＴボタンに対応して設定された固有コードの設定情報の少なくとも一部を一定距離内の他の無線機と同期化できるように、前記設定情報の少なくとも一部に所定のＲＳＳＩ基準値を含ませて伝送することを特徴とする請求項１に記載のグループ通信システム。
【請求項９】
従業員が第１ないし第Ｎグループにグループ化される時、第ｎ（ｎ＝１、．．．、Ｎ）グループに属する従業員が携帯するための第１無線機と、前記第ｎグループに属した従業員を管理する第ｎ管理者が携帯するための第２無線機と、第１ないし第Ｎ管理者を監督する監督者が携帯するための第３無線機と、を含むグループ通信システムで行われるグループ通信方法であって、
前記第ｎグループには、第ｎ固有コードが割り当てられ、前記第１ないし第Ｎ管理者と前記監督者とを含む第（Ｎ＋１）グループには、第（Ｎ＋１）固有コードが割り当てられ、
前記第１ないし第３無線機のそれぞれは、第１ＰＴＴボタン及び第２ＰＴＴボタンを備え、
前記第１無線機は、前記第１ＰＴＴボタンまたは前記第２ＰＴＴボタンが押された状態で前記第ｎ固有コードを含む音声パケットを送信する段階と、
前記第１無線機は、前記第ｎ固有コードを含む音声パケットが受信されれば、前記受信された音声パケットを処理して出力する段階と、
前記第２無線機は、前記第１ＰＴＴボタンが押された状態で前記第ｎ固有コードを含む音声パケットを送信する段階と、
前記第２無線機は、前記第２ＰＴＴボタンが押された状態で前記第（Ｎ＋１）固有コードを含む音声パケットを送信する段階と、
前記第２無線機は、前記第ｎ固有コードまたは前記第（Ｎ＋１）固有コードを含む音声パケットが受信されれば、前記受信された音声パケットを処理して出力する段階を含むことを特徴とするグループ通信方法。
【請求項１０】
前記第３無線機は、グループ選択ボタンをさらに備え、
前記第３無線機は、前記第１ＰＴＴボタンが押された状態で第１ないし第Ｎ固有コードのうち、前記グループ選択ボタンによって選択された少なくとも１つの固有コードを含む音声パケットを送信する段階と、
前記第３無線機は、前記第２ＰＴＴボタンが押された状態で前記第（Ｎ＋１）固有コードを含む音声パケットを送信する段階と、
前記第３無線機は、前記第１ないし第Ｎ固有コードのうち、前記グループ選択ボタンによって選択された少なくとも１つの固有コードまたは前記第（Ｎ＋１）固有コードを含む音声パケットが受信されれば、前記受信された音声パケットを処理して出力する段階をさらに含むことを特徴とする請求項９に記載のグループ通信方法。
【発明の詳細な説明】
【技術分野】
【０００１】
本発明は、多数の無線機からなるグループ通信システム及び方法に係り、より詳細には、従業員管理に適したグループ通信システム及び方法に関する。
【背景技術】
【０００２】
無線機は、無線電信や無線電話をするのに使われる機械であって、無線機を使用すれば、相互連結のための基地局や中継局が不要であり、通話料金が賦課されずとも、相互間交信が行えるという長所がある。このような長所を活かして、無線機は多様な分野で使われるが、代表的な例として、産業現場、工場、売場、空港、病院、会場のように多数の従業員の勤め先でグループ通信のための手段として使われる。
【０００３】
図１は、従来のグループ通信システムの一例であって、売場で従業員を管理するためのグループ通信システムの構成を示す。
【０００４】
従業員Ｅは、多様なグループ（例えば、４個、Ｇ１＿１〜Ｇ１＿４）にグループ化されて売場のあちこちで勤務し、各グループごとに当該グループの従業員を管理する管理者Ｍがあり、管理者Ｍを監督する監督者Ｓがある。すなわち、従業員Ｅ、管理者Ｍ、監督者Ｓのいわゆる３階層構造である。一方、売場のあちこちには、顧客が助けを要請できるようにベルボタン１０が設けられて、顧客がベルボタン１０を押して当該ベルボタン１０が属するグループの従業員Ｅまたは管理者Ｍと通話可能にするか、ベルボタン１０に状況別に（例えば、価格など製品情報の問い合わせ、製品の陳列場所の問い合わせ、障害者支援要請など）ボタンを設けて、予め録音された音声が従業員Ｅまたは管理者Ｍに伝送させることもできる。そうすると、従業員Ｅが顧客の要請による業務を行うか、管理者Ｍが状況を把握し、従業員Ｅに業務を指示して業務を行わせる。
【０００５】
管理者Ｍは、当該グループの従業員Ｅに業務を指示する一方、監督者Ｓに報告するか、監督者Ｓから指示を受ける。したがって、管理者Ｍと監督者Ｓは、グループＧ５で示すことができる。監督者Ｓは、管理者Ｍに業務を指示したりするが、必要に応じて従業員Ｅから報告を受けるか、従業員Ｅに直接業務を指示するか、報告を受けたりもする。
【０００６】
ベルボタン１０を含むか、除くなどで選択的に使用すれば、従業員Ｅ、管理者Ｍ、監督者Ｓ間の前記のような業務体系は、売場だけではなく、ほとんどの産業現場、工場、空港、病院、会場などにも適用される。従来の無線機でこのような業務体系に合うグループ通信システムを構成するためには、従業員Ｅは、１台の無線機２０を所持すれば良いが、管理者Ｍは、当該グループに属した従業員Ｅと通信するための無線機３１及び監督者Ｓと通信するための無線機（すなわち、グループＧ５のための無線機）３２の２台の無線機３１、３２を所持しなければならず、監督者Ｓは、各グループ（Ｇ１〜Ｇ４）ごとに当該グループ員と通話するための４台の無線機４１、４２、４３、４４及び管理者Ｍと通話するための無線機（すなわち、グループＧ５のための無線機）４５のなんと５台の無線機４１〜４５を所持しなければならない。
【０００７】
このように、管理者Ｍや監督者Ｓが複数台の無線機を有し、業務を処理することは非常に煩わしいだけではなく、多数の無線機が必要なので、コスト高になるという問題がある。さらに、グループ数が多いか、中間管理者、中間監督者などが追加されて階層数が増加すれば、管理者Ｍや監督者Ｓが所持しなければならない無線機の数は幾何級数的に増えて、要求されるグループ通信システムを構成することが事実上不可能である。
【発明の概要】
【発明が解決しようとする課題】
【０００８】
本発明が解決しようとする技術的課題は、グループ数や階層数と無関係に管理者や監督者が１台の無線機のみ所持しても、従業員と管理者間、管理者と監督者間、従業員と監督者間などのグループ通信を円滑に行わせるグループ通信システム及び方法を提供することである。
【課題を解決するための手段】
【０００９】
前記技術的課題を解決するための本発明による従業員管理のためのグループ通信システムは、従業員が第１ないし第Ｎグループにグループ化される時、第ｎ（ｎ＝１、．．．、Ｎ）グループに属する従業員が携帯するための第１無線機；前記第ｎグループに属した従業員を管理する第ｎ管理者が携帯するための第２無線機；及び第１ないし第Ｎ管理者を監督する監督者が携帯するための第３無線機；を含むが、前記第ｎグループには、第ｎ固有コードが割り当てられ、前記第１ないし第Ｎ管理者と前記監督者とを含む第（Ｎ＋１）グループには、第（Ｎ＋１）固有コードが割り当てられ、前記第１ないし第３無線機のそれぞれは、第１ＰＴＴボタン及び第２ＰＴＴボタンを備え、前記第１ＰＴＴボタンが押された状態では、前記第１ＰＴＴボタンに対応して設定された少なくとも１つの固有コードを含む音声パケットを送信し、前記第２ＰＴＴボタンが押された状態では、前記第２ＰＴＴボタンに対応して設定された少なくとも１つの固有コードを含む音声パケットを送信し、受信するグループに対応して設定された少なくとも１つの固有コードを含む音声パケットが受信されれば、前記受信された音声パケットを処理して出力することを特徴とする。
【００１０】
前記第１無線機は、前記第１ＰＴＴボタンまたは前記第２ＰＴＴボタンに対応して、前記第ｎ固有コードが設定され、受信するグループに対応して、前記第ｎ固有コードが設定されうる。
【００１１】
前記第２無線機は、前記第１ＰＴＴボタンに対応して、前記第ｎ固有コードが設定され、前記第２ＰＴＴボタンに対応して、前記第（Ｎ＋１）固有コードが設定され、受信するグループに対応して、前記第ｎ固有コード及び前記第（Ｎ＋１）固有コードが設定されうる。
【００１２】
前記第３無線機は、グループ選択ボタンをさらに備え、前記第１ＰＴＴボタンが押された状態では、前記第１ＰＴＴボタンに対応して設定された少なくとも１つの固有コードまたは前記グループ選択ボタンによって選択された少なくとも１つの固有コードを含む音声パケットを送信し、前記第２ＰＴＴボタンが押された状態では、前記第２ＰＴＴボタンに対応して設定された固有コードを含む音声パケットを送信し、受信するグループに対応して設定された少なくとも１つの固有コードまたは前記グループ選択ボタンによって選択された少なくとも１つの固有コードを含む音声パケットが受信されれば、前記受信された音声パケットを処理して出力することができる。
【００１３】
前記第３無線機は、前記第１ないし第Ｎグループのそれぞれに対してユーザ設定によって、前記グループ選択ボタンによる選択と無関係に当該グループの固有コードを含む音声パケットを送信するように設定されるか、前記グループ選択ボタンによって当該グループが選択された場合に、当該グループの固有コードを含む音声パケットを送信するように設定されるか、前記グループ選択ボタンによる選択と無関係に当該グループの固有コードを音声パケットに含ませないように設定されうる。
【００１４】
前記第３無線機は、前記第１ないし第Ｎグループのそれぞれに対してユーザ設定によって、前記グループ選択ボタンによる選択と無関係に当該グループの固有コードを含む受信された音声パケットを処理するように設定されるか、前記グループ選択ボタンによって当該グループが選択された場合に、当該グループの固有コードを含む受信された音声パケットを処理するように設定されるか、前記グループ選択ボタンによる選択と無関係に当該グループの固有コードを含む受信された音声パケットを処理しないように設定されうる。
【００１５】
前記第１無線機または前記第２無線機は、前記第１ＰＴＴボタン及び前記第２ＰＴＴボタンに対応して設定された固有コードの設定情報の少なくとも一部を一定距離内の他の無線機と同期化できるように、前記設定情報の少なくとも一部をＤＴＭＦ信号に変換し、前記ＤＴＭＦ信号をスピーカーを通じて送出することができる。
【００１６】
前記第１無線機または前記第２無線機は、前記第１ＰＴＴボタン及び前記第２ＰＴＴボタンに対応して設定された固有コードの設定情報の少なくとも一部を一定距離内の他の無線機と同期化できるように、前記設定情報の少なくとも一部に所定のＲＳＳＩ基準値を含ませて伝送しうる。
【００１７】
前記技術的課題を解決するための本発明による従業員管理のためのグループ通信方法は、従業員が第１ないし第Ｎグループにグループ化される時、第ｎ（ｎ＝１、．．．、Ｎ）グループに属する従業員が携帯するための第１無線機；前記第ｎグループに属した従業員を管理する第ｎ管理者が携帯するための第２無線機；第１ないし第Ｎ管理者を監督する監督者が携帯するための第３無線機；を含むグループ通信システムで行われるグループ通信方法であって、前記第ｎグループには、第ｎ固有コードが割り当てられ、前記第１ないし第Ｎ管理者と前記監督者とを含む第（Ｎ＋１）グループには、第（Ｎ＋１）固有コードが割り当てられ、前記第１ないし第３無線機のそれぞれは、第１ＰＴＴボタン及び第２ＰＴＴボタンを備え、前記第１無線機は、前記第１ＰＴＴボタンまたは前記第２ＰＴＴボタンが押された状態で前記第ｎ固有コードを含む音声パケットを送信する段階；前記第１無線機は、前記第ｎ固有コードを含む音声パケットが受信されれば、前記受信された音声パケットを処理して出力する段階；前記第２無線機は、前記第１ＰＴＴボタンが押された状態で前記第ｎ固有コードを含む音声パケットを送信する段階；前記第２無線機は、前記第２ＰＴＴボタンが押された状態で前記第（Ｎ＋１）固有コードを含む音声パケットを送信する段階；及び前記第２無線機は、前記第ｎ固有コードまたは前記第（Ｎ＋１）固有コードを含む音声パケットが受信されれば、前記受信された音声パケットを処理して出力する段階；を含むことを特徴とする。
【００１８】
前記第３無線機は、グループ選択ボタンをさらに備え、前記グループ通信方法は、前記第３無線機は、前記第１ＰＴＴボタンが押された状態で第１ないし第Ｎ固有コードのうち、前記グループ選択ボタンによって選択された少なくとも１つの固有コードを含む音声パケットを送信する段階；前記第３無線機は、前記第２ＰＴＴボタンが押された状態で前記第（Ｎ＋１）固有コードを含む音声パケットを送信する段階；及び前記第３無線機は、前記第１ないし第Ｎ固有コードのうち、前記グループ選択ボタンによって選択された少なくとも１つの固有コードまたは前記第（Ｎ＋１）固有コードを含む音声パケットが受信されれば、前記受信された音声パケットを処理して出力する段階；をさらに含みうる。
【発明の効果】
【００１９】
前記本発明によれば、グループ数や階層数と無関係に管理者や監督者が１台の無線機のみ所持しても、従業員と管理者間、管理者と監督者間、従業員と監督者間などのグループ通信を円滑に行わせる。
【図面の簡単な説明】
【００２０】
【図１】従来のグループ通信システムの一例であって、売場で従業員を管理するためのグループ通信システムの構成を示す。
【図２】本発明の一実施形態による従業員を管理するためのグループ通信システムの構成を示す。
【図３】本発明の一実施形態による無線機の外観ユーザインターフェースを示す。
【図４Ａ】本発明の一実施形態による無線機の送信グループ設定及び受信グループ設定の可能な例を示す。
【図４Ｂ】本発明の一実施形態による無線機の送信グループ設定及び受信グループ設定の可能な例を示す。
【図４Ｃ】本発明の一実施形態によって従業員Ｅ＿１の第１無線機２１０＿１に送信グループ及び受信グループを設定した例を示す。
【図４Ｄ】本発明の一実施形態によって管理者Ｍ＿２の第２無線機２２０＿２に送信及び受信グループを設定した例を示す。
【図４Ｅ】本発明の一実施形態によって監督者Ｓの第３無線機２３０に送信及び受信グループを設定した例を示す。
【図５】図４Ｂの設定による従業員Ｅ＿１の第１無線機２１０＿１の送信動作を示すフローチャートである。
【図６】図４Ｂの設定による従業員Ｅ＿１の第１無線機２１０＿１の受信動作を示すフローチャートである。
【図７】図４Ｃの設定による管理者Ｍ＿２の第２無線機２２０＿２の送信動作を示すフローチャートである。
【図８】図４Ｃの設定による管理者Ｍ＿２の第２無線機２２０＿２の受信動作を示すフローチャートである。
【図９】図４Ｄの設定による監督者Ｓの第３無線機２３０の送信動作を示すフローチャートである。
【図１０】図４Ｄの設定による監督者Ｓの第３無線機２３０の受信動作を示すフローチャートである。
【図１１】本発明の一実施形態による無線機間の設定同期化過程のフローチャートである。
【図１２】本発明の他の一実施形態による無線機間の設定同期化過程のフローチャートである。
【図１３】図１２の設定同期化過程で使われるＤＴＭＦ信号の一例を示した図面である。
【図１４】本発明のさらに他の一実施形態による無線機間の設定同期化過程のフローチャートである。
【発明を実施するための形態】
【００２１】
以下、図面を参照して、本発明の望ましい実施形態を詳しく説明する。以下、説明及び添付図面で実質的に同じ構成要素は、それぞれ同じ符号で示すことにより、重複説明を省略する。また、本発明を説明するに当って、関連した公知の機能あるいは構成についての具体的な説明が、本発明の要旨を不明にする恐れがあると判断される場合、それについての詳細な説明は省略する。
【００２２】
図２は、本発明の一実施形態による従業員を管理するためのグループ通信システムの構成を示す。
【００２３】
以下、便宜上、図１を通じて説明した従業員Ｅ、管理者Ｍ、監督者Ｓの３階層の業務体系を例として説明するが、本発明は、３階層以上または他の形態の業務体系にも適用可能であるということはいうまでもない。また、便宜上、売場で従業員を管理するためのグループ通信システムとしてベルボタン１００を含む構成を例としたが、本発明は、ベルボタン１００を省略し（但し、必要に応じて含ませ）、産業現場、工場、空港、病院、会場などにも適用可能であるということはいうまでもない。
【００２４】
一般的に、従業員Ｅは、第１ないし第Ｎ（Ｎ＝１、２、．．．）グループ（以下、従業員グループ）にグループ化され、各従業員グループには、管理者Ｍが含まれうるが、本発明の実施形態では、説明の便宜上、４個のグループ（Ｇ１〜Ｇ４）にグループ化されると仮定する。そして、管理者Ｍと監督者Ｓとを含むグループ（以下、管理者グループ）は、Ｇ５（一般的には、第（Ｎ＋１）グループ）で示すことにする。明細書及び添付図面で、図面符号「ＸＸ＿＃」の「＿＃」は、グループを示し、図面符号「ＸＸ＿＃」で「＿＃」を除いた「ＸＸ」は、任意のグループに属した要素を示す。
【００２５】
また、監督者Ｓの下位概念として中間管理者または中間監督者などが追加されて階層数が増加すれば、追加される中間管理者または中間監督者を含むグループは、第（Ｎ＋２）グループ、第（Ｎ＋３）グループなどで示すことができる。
【００２６】
ベルボタン１００は、図１を通じて説明したように、売場のあちこちに顧客が助けを要請できるように設けられて、顧客がベルボタン１００を押して当該従業員グループと通話可能にするか、ベルボタン１００に状況別に（例えば、価格など製品情報の問い合わせ、製品の陳列場所の問い合わせ、障害者支援要請など）ボタンを設けて、予め録音された音声が当該従業員グループに伝送させることもできる。このようなベルボタン１００は、以下で説明する本発明の実施形態による無線機としても具現可能である。
【００２７】
本発明の実施形態において、従業員Ｅは、第１無線機２１０を携帯し、管理者Ｍは、第２無線機２２０を携帯し、監督者Ｓは、第３無線機２３０を携帯する。本発明の実施形態において、第１ないし第３無線機２１０、２２０、２３０は、図３を通じて説明する同じ無線機２００で設定のみを異ならせることにより、互いに異なって動作（例えば、互いに異なるグループと通信）させうる。
【００２８】
また、監督者Ｓの下位概念として中間管理者または中間監督者などが追加されて階層数が増加すれば、追加される中間管理者または中間監督者のための無線機も、第４無線機、第５無線機などに増加する。
【００２９】
図３は、本発明の一実施形態による無線機の外観ユーザインターフェースを示す。
【００３０】
本発明の実施形態による無線機２００は、全二重通信（ｆｕｌｌ  ｄｕｐｌｅｘ）機能を通じて時分割などの方法で送信と受信とが同時になされうる。
【００３１】
無線機２００は、送信時に予め設定された（あるいは、ユーザによって選択された）少なくとも１つの固有コードを含む音声パケットを送信し、受信時には、予め設定された（あるいは、ユーザによって選択された）少なくとも１つの固有コードを含む音声パケットに限って、当該音声パケットを処理（例えば、デジアナアナログ変換、増幅など）してスピーカーを通じて出力する。
【００３２】
前記固有コードは、例えば、ＡＥＳ暗号化コードであって、音声パケットの固有コードフィールドは、２５６ビット（３２ｂｙｔｅ）のサイズである。この固有コードフィールドには、複数個の固有コードが含まれうるが、例えば、１つの固有コードが４ｂｙｔｅで構成される場合、最大８個の固有コードが含まれうる。
【００３３】
グループ通信のために、グループごとに異なる固有コードが割り当てられる。たとえば、図２のように、５個のグループ（Ｇ１〜Ｇ５）が存在する場合、５個のグループ（Ｇ１〜Ｇ５）にそれぞれ第１ないし第５固有コードが割り当てられ、無線機１００、２１０、２２０、２３０は、それぞれ自身が属したグループに割り当てられた固有コードが設定されて、グループ別に通信がなされうる。
【００３４】
一般化すれば、従業員が第１ないし第Ｎグループにグループ化される時、第１ないし第Ｎグループには、それぞれ第１ないし第Ｎ固有コードが割り当てられ、第１ないし第Ｎ管理者と監督者とを含む第（Ｎ＋１）グループには、第（Ｎ＋１）固有コードが割り当てられる。また、監督者の下位概念として中間管理者または中間監督者などが追加されて階層数が増加すれば、中間管理者または中間監督者を含む第（Ｎ＋２）グループ、第（Ｎ＋３）グループなどには、それぞれ第（Ｎ＋２）固有コード、第（Ｎ＋３）固有コードなどが割り当てられる。
【００３５】
図３を参照すれば、無線機２００は、前面の第１ＰＴＴボタン２０１、側面の第２ＰＴＴボタン２０２、機能ボタン２０３、ディスプレイ２０４を備える。
【００３６】
無線機２００は、第１ＰＴＴボタン２０１と第２ＰＴＴボタン２０２とに対応して互いに異なる固有コードが設定されうる。たとえば、第１ＰＴＴボタン２０１に第１固有コードが設定され、第２ＰＴＴボタン２０２に第２固有コードが設定されれば、無線機２００は、第１ＰＴＴボタン２０１が押された状態で第１固有コードを含む音声パケットを送信し、第２ＰＴＴボタン２０２が押された状態で第２固有コードを含む音声パケットを送信する。このように、第１ＰＴＴボタン２０１と第２ＰＴＴボタン２０２とに他の固有コードが設定されることにより、ユーザは、第１ＰＴＴボタン２０１と第２ＰＴＴボタン２０２とを選択的に押して所望のグループと通話することができる。
【００３７】
さらに、機能ボタン２０３は、グループ（すなわち、固有コード）を選択することができるグループ選択ボタンで動作することができるが、ユーザがグループ選択ボタンで特定のグループを送信グループとして選択した場合、無線機２００は、第１ＰＴＴボタン２０１が押されれば、選択されたグループに割り当てられた固有コードを含む音声パケットを送信することができる。また、ユーザがグループ選択ボタンで特定のグループを受信グループとして選択した場合、無線機２００は、選択されたグループに割り当てられた固有コードを含む音声パケットが受信されれば、当該音声パケットを処理して出力することもできる。これにより、ユーザは、グループ選択ボタンで所望のグループを選択して当該グループと通話することができる。機能ボタン２０３に対する入力は多様な組み合わせが可能なので、選択可能なグループの数には事実上制限もない。また、グループ選択ボタンは、グループ選択短縮ボタン（Ｈｏｔ  Ｋｅｙ）としても具現される。
【００３８】
また、機能ボタン２０３を第１ＰＴＴボタン、第２ＰＴＴボタン以外のさらに他のＰＴＴボタンと定義して使用することができるので、ＰＴＴボタンの数は、第１ＰＴＴボタンと第２ＰＴＴボタンとに限定されるものではない。図４Ａ及び図４Ｂは、本発明の一実施形態による無線機２００の送信グループ設定及び受信グループ設定の可能な例を示す。以下、図面でＰＴＴ  ＃１及びＰＴＴ  ＃２は、それぞれ第１ＰＴＴボタン２０１及び第２ＰＴＴボタン２０２を示す。
【００３９】
第１ＰＴＴボタン２０１または第２ＰＴＴボタン２０２は、グループ選択ボタンを通じたユーザのグループ選択または事前のグループ設定によって多様なグループのうち、少なくとも１つのグループと通話するように設定されうる。
【００４０】
送信グループの場合、「Ｂ」は、グループ選択ボタンで当該グループを選択した場合のみにＰＴＴボタンを押して当該グループに送信（すなわち、当該グループの固有コードを音声パケットに含ませる）することを、「Ｙ」は、グループ選択ボタンによるグループ選択と無関係にＰＴＴボタンを押して当該グループに送信することを、「Ｎ」は、グループ選択ボタンによるグループ選択と無関係に当該グループに送信しないことを意味する。
【００４１】
受信グループの場合、「Ｂ」は、当該グループを選択した場合のみに当該グループからの音声パケットを受信（すなわち、当該グループの固有コードが含まれた音声パケットを処理）することを、「Ｙ」は、グループ選択ボタンによるグループ選択と無関係に当該グループから音声パケットを受信することを、「Ｎ」は、グループ選択ボタンによるグループ選択と無関係に当該グループからの音声パケットを受信しないことを意味する。
【００４２】
再び図２を参照すれば、従業員Ｅの第１無線機２１０（ベルボタン１００も同様である）は、当該従業員グループと通話可能に設定される。たとえば、グループＧ１の従業員Ｅ＿１の第１無線機２１０＿１は、グループＧ１に属した他の従業員及び管理者Ｍ＿１と通話するように設定される。
【００４３】
図４Ｃは、本発明の一実施形態によって従業員Ｅ＿１の第１無線機２１０＿１に送信グループ及び受信グループを設定した例を示す。
【００４４】
送信グループの場合、第１ＰＴＴボタン２０１または第２ＰＴＴボタン２０２に対応してグループＧ１が「Ｙ」として設定される。言い換えれば、グループ選択と無関係に第１ＰＴＴボタン２０１または第２ＰＴＴボタン２０２を押せば、第１固有コードを含む音声パケットを送信するように設定される。受信グループの場合、グループＧ１が「Ｙ」として設定される。言い換えれば、グループ選択と無関係に第１固有コードを含む音声パケットを処理して出力するように設定される。したがって、グループＧ１の従業員Ｅ＿１は、第１または第２ＰＴＴボタン２０１、２０２を押してグループＧ１に属した他の従業員及び管理者Ｍ＿１と通話することができる。
【００４５】
再び図２を参照すれば、管理者Ｍの第２無線機２２０は、第１ＰＴＴボタン２０１と第２ＰＴＴボタン２０２との選択によって、当該従業員グループまたは管理者グループＧ５と通話可能に設定される。たとえば、グループＧ２の管理者Ｍ＿２の第２無線機２２０＿２は、第１ＰＴＴボタン２０１と第２ＰＴＴボタン２０２との選択によって、グループＧ２に属した従業員Ｅ＿２と通話するか、管理者グループＧ５、すなわち、他の管理者及び監督者Ｓと通話するように設定される。
【００４６】
図４Ｄは、本発明の一実施形態によってグループＧ２の管理者Ｍ＿２の第２無線機２２０＿２に送信グループ及び受信グループを設定した例を示す。
【００４７】
送信グループの場合、第１ＰＴＴボタン２０１に対応してグループＧ２が「Ｙ」として設定され、第２ＰＴＴボタン２０２に対応してグループＧ５が「Ｙ」として設定される。言い換えれば、グループ選択と無関係に第１ＰＴＴボタン２０１を押せば、第２固有コードを含む音声パケットを送信するように設定され、第２ＰＴＴボタン２０２を押せば、第５固有コードを含む音声パケットを送信するように設定される。受信グループの場合、グループＧ２及びＧ５が「Ｙ」として設定される。言い換えれば、グループ選択と無関係に第２固有コードまたは第５固有コードを含む音声パケットを処理して出力するように設定される。したがって、グループＧ２の管理者Ｍ＿２は、第１ＰＴＴボタン２０１を押してグループＧ２に属した従業員Ｅ＿２と通話するか、第２ＰＴＴボタン２０２を押して他の管理者Ｍ＿１、３、４及び監督者Ｓと通話することができる。
【００４８】
再び図２を参照すれば、監督者Ｓの第３無線機２３０は、グループ選択及び第１ＰＴＴボタン２０１と第２ＰＴＴボタン２０２との選択によって、所望の従業員グループまたは管理者グループＧ５と通話可能に設定される。たとえば、監督者Ｓがグループ選択ボタンで或るグループを選択すれば、第１ＰＴＴボタン２０１と第２ＰＴＴボタン２０２との選択によって、選択されたグループに属した従業員Ｅ及び管理者Ｍと通話するか、管理者グループＧ５、すなわち、管理者Ｍ＿１、２、３、４と通話するように設定される。
【００４９】
図４Ｅは、本発明の一実施形態によって監督者Ｓの第３無線機２３０に送信及び受信グループを設定した例を示す。
【００５０】
送信グループの場合、第１ＰＴＴボタン２０１に対応してグループＧ１ないしＧ４がいずれも「Ｂ」として設定され、第２ＰＴＴボタン２０２に対応してグループＧ５が「Ｙ」として設定される。言い換えれば、第１ＰＴＴボタン２０１を押せば、Ｇ１ないしＧ４のうち、監督者Ｓがグループ選択ボタンで選択した少なくとも１つのグループの固有コードを含む音声パケットを送信するように設定され、第２ＰＴＴボタン２０２を押せば、第５固有コードを含む音声パケットを送信するように設定される。受信グループの場合、グループＧ１ないしＧ４がいずれも「Ｂ」として設定され、グループＧ５が「Ｙ」として設定される。言い換えれば、Ｇ１ないしＧ４のうち、監督者Ｓがグループ選択ボタンで選択した少なくとも１つのグループの固有コードまたは第５固有コードを含む音声パケットを処理して出力するように設定される。したがって、監督者Ｓは、従業員グループを選択した後、第１ＰＴＴボタン２０１を押して当該従業員グループに属した従業員及び管理者と通話するか、第２ＰＴＴボタン２０２を押して管理者グループの管理者Ｍ＿１、２、３、４と通話することができる。
【００５１】
図５は、図４Ｂの設定による従業員Ｅ＿１の第１無線機２１０＿１の送信動作を示すフローチャートである。
【００５２】
第１無線機２１０＿１は、受信待機モード（５１０）で、第１ＰＴＴボタン２０１または第２ＰＴＴボタン２０２の押え（ＯＮ）が感知されれば（５２０）、第１固有コードを含む音声パケットを生成し（５３０）、該生成された音声パケットを送信する（５４０）。５２０段階で第１ＰＴＴボタン２０１または第２ＰＴＴボタン２０２の押えが感知されなければ、再び受信待機モード（５１０）に戻る。
【００５３】
図６は、図４Ｂの設定による従業員Ｅ＿１の第１無線機２１０＿１の受信動作を示すフローチャートである。
【００５４】
第１無線機２１０＿１は、受信待機モード（６１０）で、受信される音声パケットに第１固有コードが感知されれば（６２０）、音声パケットを処理（例えば、デジアナアナログ変換、増幅など）し（６３０）、スピーカーを通じて音声を出力する（６４０）。６２０段階で第１固有コードが感知されなければ、再び受信待機モード（６１０）に戻る。
【００５５】
図７は、図４Ｃの設定による管理者Ｍ＿２の第２無線機２２０＿２の送信動作を示すフローチャートである。
【００５６】
第２無線機２２０＿２は、受信待機モード（７１０）で、第１ＰＴＴボタン２０１の押え（ＯＮ）が感知されれば（７２０）、第２固有コードを含む音声パケットを生成し（７３０）、該生成された音声パケットを送信する（７４０）。７２０段階で第１ＰＴＴボタン２０１の押えが感知されなければ、再び受信待機モード（５１０）に戻る。
【００５７】
一方、第２無線機２２０＿２は、受信待機モード（７１０）で、第２ＰＴＴボタン２０２の押え（ＯＮ）が感知されれば（７２５）、第５固有コードを含む音声パケットを生成し（７３５）、該生成された音声パケットを送信する（７４５）。７２５段階で第２ＰＴＴボタン２０２の押えが感知されなければ、再び受信待機モード（７１０）に戻る。
【００５８】
図８は、図４Ｃの設定による管理者Ｍ＿２の第２無線機２２０＿２の受信動作を示すフローチャートである。
【００５９】
第２無線機２２０＿２は、受信待機モード（８１０）で、受信される音声パケットに第２固有コードまたは第５固有コードが感知されれば（８２０）、音声パケットを処理（例えば、デジアナアナログ変換、増幅など）し（８３０）、スピーカーを通じて音声を出力する（８４０）。８２０段階で第２固有コードまたは第５固有コードが感知されなければ、再び受信待機モード（８１０）に戻る。
【００６０】
図９は、図４Ｄの設定による監督者Ｓの第３無線機２３０の送信動作を示すフローチャートである。ここで、監督者Ｓは、第３無線機２３０のグループ選択ボタンを通じて少なくとも１つの送信グループを選択したと仮定する。
【００６１】
第３無線機２３０は、受信待機モード（９１０）で、第１ＰＴＴボタン２０１の押え（ＯＮ）が感知されれば（９２０）、選択された送信グループの固有コードを含む音声パケットを生成し（９３０）、該生成された音声パケットを送信する（９４０）。９２０段階で第１ＰＴＴボタン２０１の押えが感知されなければ、再び受信待機モード（９１０）に戻る。
【００６２】
一方、第３無線機２３０は、受信待機モード（９１０）で、第２ＰＴＴボタン２０２の押え（ＯＮ）が感知されれば（９２５）、第５固有コードを含む音声パケットを生成し（９３５）、該生成された音声パケットを送信する（９４５）。９２５段階で第２ＰＴＴボタン２０２の押えが感知されなければ、再び受信待機モード（９１０）に戻る。
【００６３】
図１０は、図４Ｄの設定による監督者Ｓの第３無線機２３０の受信動作を示すフローチャートである。ここで、監督者Ｓは、第３無線機２３０のグループ選択ボタンを通じて少なくとも１つの受信グループを選択したと仮定する。
【００６４】
第３無線機２３０は、受信待機モード（１０１０）で、受信される音声パケットに監督者Ｓによって選択された受信グループの固有コードまたは第５固有コードが感知されれば（１０２０）、音声パケットを処理（例えば、デジアナアナログ変換、増幅など）し（１０３０）、スピーカーを通じて音声を出力する（１０４０）。１０２０段階で前記選択された受信グループの固有コードまたは第５固有コードが感知されなければ、再び受信待機モード（１０１０）に戻る。
【００６５】
また、本発明の実施形態による無線機２００は、固有コード、送信グループ、受信グループなどの設定情報を他の無線機と同期化できるように、設定情報を他の無線機に送信することができ、他の無線機から設定情報を受信して、該受信された設定情報に基づいて固有コード送信グループ、受信グループなどを自動で設定することができる。一例として、グループＧ１の従業員Ｅ＿１の無線機をいずれも図４Ｂのように設定しようとすれば、１つの無線機（設定側無線機）を図４Ｂのように設定した後、他の無線機（被設定側無線機）を設定側無線機から一定距離（例えば、数ｍ）内に位置させる。次いで、設定側無線機が設定情報を送信すれば、被設定側無線機は、設定情報を受信して、該受信された設定情報に基づいて固有コード送信グループ、受信グループなどを自動で設定することができる。このような本発明の実施形態による無線機間の設定同期化方法を図１１ないし図１４を参照してより詳しく説明する。
【００６６】
図１１は、本発明の一実施形態による無線機間の設定同期化過程のフローチャートである。
【００６７】
設定側無線機は、固有コード、送信グループ、受信グループなどの現在設定状態による設定情報を生成し（１１１０）、設定情報を伝送する（１１２０）。
【００６８】
被設定側無線機は、設定側無線機から設定情報を受信し（１１３０）、該受信された設定情報に基づいて固有コード、送信グループ、受信グループなどを設定する（１１４０）。１１４０段階前に、受信された設定情報を適用するか否かをユーザから承認される段階をさらに含んでもよい。
【００６９】
図１２は、本発明の他の一実施形態による無線機間の設定同期化過程のフローチャートである。
【００７０】
設定側無線機は、固有コード、送信グループ、受信グループなどの現在設定状態による設定情報を生成し（１２１０）、設定情報をＤＴＭＦ（Ｄｕａｌ−ｔｏｎｅ  ｍｕｌｔｉ−ｆｒｅｑｕｅｎｃｙ）信号に変換した（１２２０）後、備えられたスピーカーを通じてＤＴＭＦ信号を送出する（１２３０）。スピーカーを通じて出力される音響信号は、近距離まで到達するので、一定距離内にある被設定側無線機にのみＤＴＭＦ信号を到達させることが可能である。
【００７１】
例えば、ＤＴＭＦ信号が４×４行列の周波数成分を有する場合、重畳トーン（２つの周波数の組み合わせ）で１６進数値を表現することができる。図１３は、ＤＴＭＦ信号の一例であって、各行は、低周波成分を、各列は、高周波成分を示す。この場合、１つのＤＴＭＦ信号で０〜Ｆまでの１６進数を表現することができる。データ量によって複数個のＤＴＭＦ信号が順次に送り出される。
【００７２】
被設定側無線機は、備えられたマイクを通じてＤＴＭＦ信号を受信し（１２４０）、ＤＴＭＦ信号をデコーディングして設定情報を獲得した（１２５０）後、当該設定情報に基づいて固有コード、送信グループ、受信グループなどを設定する（１２６０）。１２６０段階前に、受信された設定情報を適用するか否かをユーザから承認される段階をさらに含んでもよい。
【００７３】
図１４は、本発明のさらに他の一実施形態による無線機間の設定同期化過程のフローチャートである。
【００７４】
設定側無線機は、固有コード、送信グループ、受信グループなどの現在設定状態による設定情報を生成し（１４１０）、設定情報に所定のＲＳＳＩ基準値を含ませた（１４２０）後、ＲＳＳＩ基準値が含まれた設定情報を伝送する（１４３０）。
【００７５】
本実施形態において、設定側無線機がＲＳＳＩ基準値を送ることは、被設定側無線機に受信される信号のＲＳＳＩ測定値（設定側無線機から遠ざかるほど小さくなる）と設定側無線機から受けたＲＳＳＩ値とを比較して、一定距離内の無線機のみを設定側無線機から受信された設定情報を適用させるためである。
【００７６】
設定側無線機と被設定側無線機とが非常に近接している場合のＲＳＳＩ測定値を最大ＲＳＳＩ値とすれば、ＲＳＳＩ基準値は、設定側無線機と被設定側無線機との距離によって最大ＲＳＳＩ値の所定の比率（たとえば、９０％）で定められる。
【００７７】
被設定側無線機は、設定情報を受信すれば、それによりＲＳＳＩ基準値を抽出し、受信された信号のＲＳＳＩ値を測定する（１４４０）。被設定側無線機が設定側無線機から一定距離内にあれば、測定されたＲＳＳＩ値がＲＳＳＩ基準値以上であるので（１４５０）、受信された設定情報に基づいて固有コード、送信グループ、受信グループなどを設定する（１２６０）。もし、測定されたＲＳＳＩ値がＲＳＳＩ基準値よりも小さければ、受信された設定情報は無視される（１４５５）。１４６０段階前に、受信された設定情報を適用するか否かをユーザから承認される段階をさらに含んでもよい。
【００７８】
本発明の実施形態による無線機は、プロセッサ、プログラムデータを保存し、実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタンのようなユーザインターフェース装置などを含みうる。ソフトウェアモジュールまたはアルゴリズムとして具現される方法は、前記プロセッサ上で実行可能なコンピュータで読み取り可能なコードまたはプログラム命令としてコンピュータで読み取り可能な記録媒体上に保存することができる。ここで、コンピュータで読み取り可能な記録媒体としてマグネチック記録媒体（例えば、ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、フロッピーディスク、ハードディスクなど）及び光学的判読媒体（例えば、ＣＤ−ＲＯＭ、ＤＶＤ（Ｄｉｇｉｔａｌ  Ｖｅｒｓａｔｉｌｅ  Ｄｉｓｃ）などがある。コンピュータで読み取り可能な記録媒体は、ネットワークで連結されたコンピュータシステムに分散されて、分散方式でコンピュータで読み取り可能なコードとして保存されて実行可能である。媒体は、コンピュータによって読み取り可能であり、メモリに保存され、プロセッサで実行可能である。
【００７９】
本発明の実施形態は、機能的なブロック構成及び多様な処理段階で表われうる。このような機能ブロックは、特定機能を実行する多様な個数のハードウェアまたは／及びソフトウェア構成として具現可能である。例えば、実施形態は、１つ以上のマイクロプロセッサの制御または他の制御装置によって多様な機能を実行するメモリ、プロセッシング、ロジック（ｌｏｇｉｃ）、ルックアップテーブル（ｌｏｏｋ−ｕｐ  ｔａｂｌｅ）のような集積回路構成を採用することができる。本発明での構成要素が、ソフトウェアプログラミングまたはソフトウェア要素で実行可能なものと同様に、実施形態は、データ構造、プロセス、ルーチンまたは他のプログラミング構成の組合わせで具現される多様なアルゴリズムを含み、Ｃ、Ｃ＋＋、Ｊａｖａ、アセンブラー（ａｓｓｅｍｂｌｅｒ）のようなプログラミングまたはスクリプト言語として具現可能である。機能的な側面は、１つ以上のプロセッサで実行されるアルゴリズムとして具現可能である。また、実施形態は、電子的な環境設定、信号処理、及び／またはデータ処理などのために、従来技術を採用することができる。「メカニズム」、「要素」、「手段」、「構成」のような用語は、広く使われ、機械的であり、物理的な構成として限定されるものではない。前記用語は、プロセッサなどと連携してソフトウェアの一連の処理（ｒｏｕｔｉｎｅｓ）の意味を含みうる。
【００８０】
実施形態で説明する特定実行は、一実施形態であって、如何なる方法でも実施形態の範囲を限定するものではない。明細書の簡潔のために、従来の電子的な構成、制御システム、ソフトウェア、前記システムの他の機能的な側面の記載は省略される。また、図面に示された構成要素間の線の連結または連結部材は、機能的な連結及び／または物理的または回路的連結を例示的に示したものであって、実際の装置では、代替可能であるか、追加の多様な機能的な連結、物理的な連結、または回路連結として表われうる。また、「必須的な」、「重要に」のように具体的な言及がなければ、本発明の適用のために、必ずしも必要な構成要素ではない。
【００８１】
以上、本発明について、その望ましい実施形態を中心に説明した。当業者ならば、本発明が、本発明の本質的な特性から外れない範囲で変形された形態として具現可能であるということを理解できるであろう。したがって、開示された実施形態は、限定的な観点ではなく、説明的な観点で考慮されなければならない。本発明の範囲は、前述した説明ではなく、特許請求の範囲に示されており、それと同等な範囲内にあるあらゆる差異点は、本発明に含まれたと解釈しなければならない。
【図１】
2021505048.tif 000003
【図２】
2021505048.tif 000004
【図３】
2021505048.tif 000005
【図４Ａ】
2021505048.tif 000006
【図４Ｂ】
2021505048.tif 000007
【図４Ｃ】
2021505048.tif 000008
【図４Ｄ】
2021505048.tif 000009
【図４Ｅ】
2021505048.tif 000010
【図５】
2021505048.tif 000011
【図６】
2021505048.tif 000012
【図７】
2021505048.tif 000013
【図８】
2021505048.tif 000014
【図９】
2021505048.tif 000015
【図１０】
2021505048.tif 000016
【図１１】
2021505048.tif 000017
【図１２】
2021505048.tif 000018
【図１３】
2021505048.tif 000019
【図１４】
2021505048.tif 000020
【国際調査報告】
2021505048.tif 000021
2021505048.tif 000022
2021505048.tif 000023
2021505048.tif 000024